(57)【特許請求の範囲】
【請求項１】
携帯端末を構成する略長方形板状の筐体における第１表面の少なくとも一部に接触する接触部を備える第１支持部と、
前記第１支持部に連結されているとともに、前記第１表面が前記第１支持部に接触した状態で、前記筐体における前記第１表面に隣り合う第１端面に対面し、かつ、前記第１端面に対して凹凸係止する係止部を有する第２支持部と、
前記第１支持部に連結されているとともに、前記第１表面が前記第１支持部に接触した状態で、前記第１端面とは反対側の第２端面の一部に接触する第３支持部と、
前記第１支持部に連結されているとともに、前記第１表面が前記第１支持部に接触した状態で、前記筐体における前記第１端面および前記第２端面とは異なる第３端面および前記第３端面とは反対側を向く第４端面に対してそれぞれ対面する一対の第４支持部と、
前記第１表面が前記第１支持部に接触した状態で、前記第３端面または前記第４端面に対してそれぞれ対面する状態を初期位置として前記第４支持部互いに近付く方向に弾性的に維持する第１維持手段と、
前記第４支持部に支持されて、前記第１表面が前記第１支持部に接触した状態で、前記筐体の前記第１表面とは反対側の第２表面の縁部を係止可能な係止面を備える係止部材と、
前記係止部材に設けられて前記係止面に連続し、前記第４支持部に対して回動することにより前記第３端面または前記第４端面に対して回動可能な回動面と、
前記第４支持部に対する所定の位置に前記係止面が維持されるように前記第４支持部に対して前記係止部材を弾性的に維持する第２維持手段と、
を備える携帯端末用置台。
【請求項２】
前記第２維持手段が、
前記係止面が前記第１支持部から離れる方向に回動するように前記第４支持部に対して前記係止部材を付勢する第１スプリングを有することを特徴する請求項１に記載した携帯端末用置台。
【請求項３】
前記第２維持手段が、
前記係止面が前記第１支持部から離れる方向に回動するように前記第４支持部に対して前記係止部材を付勢する第１スプリングと、
前記係止面が前記第１支持部に近付く方向に回動するように前記第４支持部に対して前記係止部材を付勢する第２スプリングと、
を有することを特徴する請求項１に記載した携帯端末用置台。
【請求項４】
前記第１スプリングの第１付勢力と、
前記第２スプリングの第２付勢力とが異なることを特徴する請求項３に記載した携帯端末用置台。
【請求項５】
前記第４支持部に対する前記係止面の初期位置が、
前記回動面の回動可能範囲の始点および終点以外の任意位置であることを特徴する請求項１に記載した携帯端末用置台。
【請求項６】
携帯端末を構成する略長方形板状の筐体における第１表面の少なくとも一部に接触する接触部を備える第１支持部と、
前記第１支持部に連結されているとともに、前記第１表面が前記第１支持部に接触した状態で、前記筐体における前記第１表面に隣り合う第１端面に対面し、かつ、前記第１端面に対して凹凸係止する係止部を有する第２支持部と、
前記第１支持部に連結されているとともに、前記第１表面が前記第１支持部に接触した状態で、前記第１端面とは反対側の第２端面の一部に接触する第３支持部と、
前記第１支持部に連結されているとともに、前記第１表面が前記第１支持部に接触した状態で、前記筐体における前記第１端面および前記第２端面とは異なる第３端面または前記第３端面とは反対側を向く第４端面に対してそれぞれ対面する一対の第４支持部と、
前記各第４支持部から互いに近付く方向に突出可能とされ、前記第１表面が前記第１支持部に接触した状態で、前記筐体の前記第１表面とは反対側の第２表面の縁部を係止可能な係止面を備える係止部材と、
前記第１支持部における支持面とは反対側に突出する突出片を備え、前記突出片が前記第１支持部に対して近付く方向に押圧されると前記係止面が前記各第４支持部から突出した状態を維持するように前記係止部材に連結された連結部材と、
前記連結部材に連結され、前記係止面が前記各第４支持部から突出した状態を解除する解除手段と、
を備える携帯端末用置台。
【発明の詳細な説明】
【技術分野】
【０００１】
本発明は、携帯端末を保持して充電等を行うことができる携帯端末用置台に関するものである。
【背景技術】
【０００２】
従来より、携帯端末を充電するにあたっては、携帯端末用置台が用いられる場合が多い。携帯端末用置台としては、携帯端末の筐体を起立させて支持する縦型の携帯端末用置台や、携帯端末の筐体を平らに支持する横型の携帯端末用置台が知られているが、近年では、横型の携帯端末用置台が広く用いられている。（例えば特許文献１）
【０００３】
特許文献１に記載されているように、略長方形板状に形成された筐体を備える携帯端末に用いられる横型の携帯端末用置台では、携帯端末の筐体の長手方向両端面にそれぞれ溝を形成しておき、携帯端末用置台に設けた凸部に一方の溝を係止し、この溝を中心として筐体を回動させて他方の溝を係止する。このとき、充電用接触ばね端子を押圧して導通し、充電を行う。
【特許文献１】特開２００５−６１４９号公報
【発明の開示】
【発明が解決しようとする課題】
【０００４】
ところで、近年では、携帯端末用置台に携帯端末を装着した状態で、インナーイヤーヘッドフォンを携帯端末の筐体に接続して音曲やテレビジョンを含む動画を鑑賞したいという要望がある。その一方で、近年の携帯端末は、筐体の薄型化が進められていて、インナーイヤーヘッドフォンのコネクタを接続するコネクタの配置が難しくなりつつあり、筐体の側面にはスペースが確保されず、長手方向一端面が多用されている。
このため、前述したように両端面に係止用の凹凸を形成して筐体を保持するという構造が困難となってきた。また、筐体を保持する構造として、筐体の表面を押える押圧手段を設けて筐体を保持するという構造を採用すると、筐体の着脱の際に押圧手段とこすれて擦り傷がつくという問題があった。
【０００５】
本発明は、従来の問題を解決するためになされたもので、確実に保持できるとともに、携帯端末に対して擦り傷が生じにくい携帯端末用置き台を提供することを目的とする。
【課題を解決するための手段】
【０００６】
本発明の携帯端末用置台は、携帯端末を構成する略長方形板状の筐体における第１表面の少なくとも一部に接触する接触部を備える第１支持部と、前記第１支持部に連結されているとともに、前記第１表面が前記第１支持部に接触した状態で、前記筐体における前記第１表面に隣り合う第１端面に対面し、かつ、前記第１端面に対して凹凸係止する係止部を有する第２支持部と、前記第１支持部に連結されているとともに、前記第１表面が前記第１支持部に接触した状態で、前記第１端面とは反対側の第２端面の一部に接触する第３支持部と、前記第１支持部に連結されているとともに、前記第１表面が前記第１支持部に接触した状態で、前記筐体における前記第１端面および前記第２端面とは異なる第３端面および前記第３端面とは反対側を向く第４端面に対してそれぞれ対面する一対の第４支持部と、前記第１表面が前記第１支持部に接触した状態で、前記第３端面または前記第４端面に対してそれぞれ対面する状態を初期位置として前記第４支持部互いに近付く方向に弾性的に維持する第１維持手段と、前記第４支持部に支持されて、前記第１表面が前記第１支持部に接触した状態で、前記筐体の前記第１表面とは反対側の第２表面の縁部を係止可能な係止面を備える係止部材と、前記係止部材に設けられて前記係止面に連続し、前記第４支持部に対して回動することにより前記第３端面または前記第４端面に対して回動可能な回動面と、前記第４支持部に対する所定の位置に前記係止面が維持されるように前記第４支持部に対して前記係止部材を弾性的に維持する第２維持手段と、を備える構成を有している。
【０００７】
この構成により、筐体の第１表面に隣り合う第１端面を第２支持部により凹凸係止し、第１表面を第１支持部の接触部に接触させて支持した状態で、筐体の第１端面と反対側の第２端面を第３支持部により支持する。そして、筐体の側面である第３端面または第４端面を第４支持部によって支持する。このとき、第４支持部は、筐体から離れる方向へ退避可能に第１維持手段により弾性支持されており、第４支持部に設けられている係止部材の係止面が筐体の第２表面を係止する。係止部材は、係止面に連続して回動面を有しており、回動面は第２維持手段によって所定の原点位置に復帰するように付勢されている。この回動面は、筐体の着脱の際に、筐体の第３端面または第４端面に接触して回動する。このため、携帯端末に擦り傷を付けることなく、確実に保持することができる。
【０００８】
また、本発明の携帯端末用置台は、前記第２維持手段が、前記係止面が前記第１支持部から離れる方向に回動するように前記第４支持部に対して前記係止部材を付勢する第１スプリングを有する構成をしている。
【０００９】
この構成により、第２維持手段では、第１スプリングにより係止面が第１支持部から離れる方向に回動するように付勢されているので、携帯端末を携帯端末用置台から取り出す際に、係止部材がすぐに回転を開始するので、携帯端末に擦り傷を付けることなく容易に取り出すことができる。
【００１０】
また、本発明の携帯端末用置台は、前記第２維持手段が、前記係止面が前記第１支持部から離れる方向に回動するように前記第４支持部に対して前記係止部材を付勢する第１スプリングと、前記係止面が前記第１支持部に近付く方向に回動するように前記第４支持部に対して前記係止部材を付勢する第２スプリングと、を有した構成を有している。
【００１１】
この構成により、第１スプリングにより係止面が第１支持部から離れる方向に回動するように付勢されているので、携帯端末を携帯端末用置台から取り出す際に、係止部材がすぐに回転を開始するので、携帯端末に擦り傷を付けることなく容易に取り出すことができる。また、筐体を取り出した後は、係止部材は初期位置に戻る。
【００１２】
また、本発明の携帯端末用置台は、前記第１スプリングの第１付勢力と、前記第２スプリングの第２付勢力とが異なる構成を有している。
【００１３】
この構成により、第１スプリングの第１付勢力と、第２スプリングの第２付勢力とが異なるので、係止部材を回動させようとする力は、向きによって異なる。すなわち、第１付勢力を第２付勢力よりも大きくすることにより、筐体を取り出す際に、係止部材を確実に回動させることができ、携帯端末に擦り傷を付けるのを防止することができる。
【００１４】
また、本発明の携帯端末用置台は、第４支持部に対する前記係止面の初期位置が、前記回動面の回動可能範囲の始点および終点以外の任意位置である構成を有している。
【００１５】
この構成により、係止部材の係止面の初期位置は、回動面の回動可能範囲の始点および終点以外の任意位置、すなわち回動可能範囲の途中位置にあるので、どちら向きにも回動可能である。
【００１６】
さらに、本発明の携帯端末用置台は、携帯端末を構成する略長方形板状の筐体における第１表面の少なくとも一部に接触する接触部を備える第１支持部と、前記第１支持部に連結されているとともに、前記第１表面が前記第１支持部に接触した状態で、前記筐体における前記第１表面に隣り合う第１端面に対面し、かつ、前記第１端面に対して凹凸係止する係止部を有する第２支持部と、前記第１支持部に連結されているとともに、前記第１表面が前記第１支持部に接触した状態で、前記第１端面とは反対側の第２端面の一部に接触する第３支持部と、前記第１支持部に連結されているとともに、前記第１表面が前記第１支持部に接触した状態で、前記筐体における前記第１端面および前記第２端面とは異なる第３端面または前記第３端面とは反対側を向く第４端面に対してそれぞれ対面する一対の第４支持部と、前記各第４支持部から互いに近付く方向に突出可能とされ、前記第１表面が前記第１支持部に接触した状態で、前記筐体の前記第１表面とは反対側の第２表面の縁部を係止可能な係止面を備える係止部材と、前記第１支持部における支持面とは反対側に突出する突出片を備え、前記突出片が前記第１支持部に対して近付く方向に押圧されると前記係止面が前記各第４支持部から突出した状態を維持するように前記係止部材に連結された連結部材と、前記連結部材に連結され、前記係止面が前記各第４支持部から突出した状態を解除する解除手段と、を備えた構成を有している。
【００１７】
この構成により、筐体における前記第１表面に隣り合う第１端面を第２支持部により係止し、第１表面を第１支持部の接触部が接触して支持した状態で、筐体の第２端面を第３支持部により支持する。そして、筐体の側面である第３端面または第４端面に対しては、第２表面の縁部を、第４支持部の係止部材に設けられている係止面によって支持する。このとき、第１支持部における支持面とは反対側に突出する突出片を第１支持部に対して近付く方向に押し込むと、連結部材により第４支持部から係止面が突出した状態を維持して携帯端末を保持する。一方、連結部材に連結された解除手段により、係止面が各第４支持部から突出した状態を解除することができ、携帯端末を携帯端末用置台から取出可能となる。
【発明の効果】
【００１８】
本発明は、筐体の第１表面に隣り合う第１端面を第２支持部により凹凸係止し、第１表面を第１支持部の接触部に接触させて支持した状態で、筐体の第１端面と反対側の第２端面を第３支持部により支持する。そして、筐体の側面である第３端面または第４端面を第４支持部によって支持する。このとき、第４支持部は、筐体から離れる方向へ退避可能に第１維持手段により弾性支持されており、第４支持部に設けられている係止部材の係止面が筐体の第２表面を係止する。係止部材は、係止面に連続して回動面を有しており、回動面は第２維持手段によって所定の原点位置に復帰するように付勢されている。この回動面は、筐体の着脱の際に、筐体の第３端面または第４端面に接触して回動する。このため、携帯端末に擦り傷を付けることなく、確実に保持することができるものである。
【発明を実施するための最良の形態】
【００１９】
以下、本発明の実施形態にかかる携帯端末用置台について、図面を用いて説明する。
図１は第１実施形態にかかる携帯端末用置台および携帯端末の斜視図、図２（Ａ）〜（Ｆ）は携帯端末用置台の六面図、図３（Ａ）は第４支持部を外から見た正面図、図３（Ｂ）は図３（Ａ）中Ｂ方向から見た側面図、図４（Ａ）〜（Ｇ）は第４支持部の正面図、平面図、側面図、背面図、拡大図等，図５（Ａ）は非装着時の係止部材を示す断面図、図５（Ｂ）は携帯端末装着時の係止部材を示す断面図、図５（Ｃ）は携帯端末を取り出す際の係止部材を示す断面図である。
【００２０】
図１に示すように、本発明の第１実施形態にかかる携帯端末用置台１０は、携帯端末５０を保持して充電等を行うものである。この携帯端末用置台１０に適用可能な携帯端末５０としては、筐体５１が、略長方形板状の下筐体５２と上筐体５３とを有し、両筐体５２、５３の一端部をヒンジ５４により開閉自在に連結した折り畳み型のものを例示することができる。
【００２１】
図１および図２に示すように、携帯端末用置台１０は、携帯端末５０を構成する筐体５１における下筐体５２の第１表面である下面５２ａの少なくとも一部に接触する接触部を備える第１支持部である上面１１を有している。この上面１１には、携帯端末５０の筐体５１の下面５２ａが携帯端末用置台１０の上面１１に接触した状態で、筐体５１の下面５２ａに隣り合う第１端面であるヒンジ側端面５５に対面し、かつ、ヒンジ側端面５５に設けられている係止凹部（図示省略）を凹凸係合する第２支持部である係止凸部１２を有している。
【００２２】
また、上面１１には、携帯端末５０の下面５２ａが上面１１に接触した状態で、ヒンジ側端面５５とは反対側の第２端面である開閉側端面５６の一部に接触する第３支持部１３を有している。第３支持部１３は、筐体５１の左右の隅角部を支持するためにＬ字形状の隅支持部１３ａ、１３ｂを有している。従って、両隅支持部１３ａ、１３ｂ間には隙間１３ｃが設けられており、筐体５１を携帯端末用置台１０に載置した状態で、例えば、筐体５１の開閉側端面５６に設けられている端子（図示省略）にＬ型コネクタ（図示省略）等を接続することができるようになっている。
【００２３】
さらに、上面１１には、筐体５１下面５２ａが上面１１に接触した状態で、筐体５１のヒンジ側端面５５および開閉側端面５６とは異なる第３端面または第４端面である側面５７、５８に対して、それぞれ対面する一対の第４支持部２０、２０を有している。
【００２４】
図３に示すように、第４支持部２０は、筐体側面５７、５８に対してそれぞれ対面する状態を初期位置として回動可能に設けられており、第１維持手段としての回動ばね２５により互いに近付く方向（図３（Ｂ）において矢印Ｂ方向）に弾性的に付勢されて初期位置に維持されている。
【００２５】
図４に示すように、第４支持部２０は、上下に伸び背面が開口した断面コ字状の支持部本体２１と、支持部本体２１の下端に設けられた回動軸２２を有しており、回動軸２２は携帯端末用置台１０の側面１０ａに設けられている軸受１４（図３（Ａ）参照）により回動可能に支持されている。支持部本体２１の背面下端部には、ばね止め凸部２４が後方へ突出しており、図３（Ａ）および（Ｂ）に示すように、ばね止め凸部２４を上方へ付勢する回動ばね２５の一端が取付けられている。これにより、前述したように、第４支持部２０の支持部本体２１が図３（Ｂ）中Ｂ方向へ付勢されることになる。なお、回動ばね２５は軸部材２５ａによって携帯端末用置台１０の側面に固定されており、回動ばね２５の他端は携帯端末用置台１０の側面に固定されている。また、支持部本体２１は、前面２１ａが携帯端末用置台１０の支持部側面１０ａ（図３（Ｂ）参照）に当接するため、直立以上内側へは回動しないようになっている。
【００２６】
図４に示すように、第４支持部２０の前面２１ａ上部には、支持部本体２１の内部空間２１ｂに連続する開口２１ｃが設けられている。内部空間２１ｂには係止部材２３が設けられており、一部が開口２１ｃから支持部本体２１の外部に突出している。この係止部材２３は部分円柱形状をしており、回動軸２３ａを中心として上下方向に回動可能となっている。係止部材２３には、携帯端末用置台１０に載置された筐体５１の第２表面である下筐体５２の上面５２ｂの縁部を係止可能な係止面２３ｃと、この係止面２３ｃに連続し筐体側面５７、５８に対して回動可能な回動面２３ｄを有している。
【００２７】
また、係止部材２３には、係止面２３ｃが筐体上面５２ｂから離れる方向（図４（Ｇ）において矢印Ａ方向）に回動するように第４支持部２０に対して係止部材２３を付勢する第２維持手段である第１スプリング２６が設けられている。すなわち、係止部材２３に設けられている係止部２３ｅを第１スプリング２６によって付勢して、係止部材２３を図４（Ｇ）中矢印Ａ方向へ回動させる。なお、第１スプリング２６は、図４（Ｇ）に示す状態よりも係止部材２３が矢印Ｂ方向へ回動している場合にのみ、付勢力が作用するようになっている。
【００２８】
また、係止部材２３の側面にはばね止め突起２３ｂが設けられており、中心部を回動軸２３ａに取付けられたぜんまいばねである第２維持手段としての第２スプリング２７の一端が取付けられている。なお、第２スプリング２６の他端は、支持部本体２１の内面を押圧している。これにより、係止部材２３は、図４（Ｇ）中矢印Ｂ方向に付勢されることになる。
【００２９】
このように、係止部材２３に、互いに反対方向へ付勢する第１スプリング２６および第２スプリング２７が取付けられているが、第１スプリング２６の第１付勢力の方が、第２スプリング２７の第２付勢力よりも大きくする。これにより、係止部材２３は図４に示す所定の初期位置に維持されることになる。この位置は、回動面２３ｄの回動可能範囲の始点および終点以外の任意位置である。なお、前述した回動ばね２５の付勢力は、第１付勢力よりも大きくなっている。
【００３０】
次に、携帯端末用置台１０に対する携帯端末５０の着脱動作を、図５（Ａ）〜（Ｃ）に基づき、主に第４支持部２０の作用に着目して説明する。
まず、図１に示すような、携帯端末５０の装着前は、図５（Ａ）に示すように、第４支持部２０における支持部材２３は、図４において前述した初期位置に位置している。この状態で、携帯端末５０のヒンジ側端面５５に設けられている係止凹部（図示省略）を携帯端末用置台１０の係止凸部１２に嵌めて、携帯端末５０の開閉側端面５６を下降させる。これにより、携帯端末５０の下筐体５２下面における開閉側端部の側面下部が、係止部材２３を図５（Ａ）中矢印Ａ方向へ回動させながら下降する。
【００３１】
そして、図５（Ｂ）に示すように、携帯端末５０の下筐体５２下面５２ａが携帯端末用置台１０の上面１１に達すると、係止部材２３の係止面２３ｃが携帯端末５０の下筐体５２の上面５２ｂの隅部を係止する。これにより、携帯端末５０は携帯端末用置台１０上に保持されることになる。同時に、携帯端末用置台１０の上面１１から充電用端子が上方へ突出して、携帯端末５０側の端子と導通し、充電可能となる。なお、充電用端子を上方へ突出させている付勢力は、係止部材２３による係止力に比して弱いので、携帯端末５０が脱落することはない。また、装着状態では、図５（Ｂ）に示すように、第１スプリング２６によって係止部材２３は矢印Ｂ方向へ回転付勢されているが、支持部本体２１を直立方向へ付勢している回動ばね２５の付勢力が、第１スプリング２６の第１付勢力に比して大きいので、支持部本体２１が第１スプリング２６の第１付勢力によって筐体５１から離れる方向へ回動するのを防止している。
【００３２】
次に、携帯端末５０を携帯端末用置台１０から取り出す場合には、図５（Ｂ）に示す状態から、携帯端末５０の筐体５１の開閉側を把持して、上方へ引き上げる。このとき、図５（Ｂ）に示すように、係止部材２３の係止部２３ｅが第１スプリング２６に当接しており、係止部材２３は第１スプリング２６によって図５（Ｂ）中Ｂ方向へ回転付勢されている。このため、筐体５１を引き上げると、係止部材２３は直ちにＢ方向へ回転を開始するので、係止部材２３が筐体５１に対して滑るのを防止することができ、擦り傷を防止することができる。
【００３３】
次いで、図５（Ｃ）に示すように、携帯端末５０の上昇に伴って、係止部材２３の接触位置は、回動中心である回動軸２３ａからの半径が小さな係止面２３ｃから、半径が大きな回動面２３ｄに移行しながら係止部材２３を矢印Ｃ方向へ回動させる。このため、支持部本体２１は、筐体５１から離れる方向（図中矢印Ｅ方向）へ回動する。このとき、係止部材２３のＣ方向への回動は、第２スプリング２７の付勢力に抗して行われることになるが、第２スプリング２７の付勢力はもっとも弱いので、容易に回動させることができる。これにより、携帯端末５０を容易に取り出すことができる。なお、携帯端末５０を取り出した後は、回動ばね２５の付勢力により支持部本体２１は直立状態に復帰するとともに、係止部材２３は第２スプリング２７の付勢力により初期位置（図５（Ａ）の位置）に復帰する。
【００３４】
以上、説明した第１実施形態にかかる携帯端末用置台１０によれば、筐体５１を携帯端末用置台１０に保持している係止部材２３が、筐体５１の着脱の際に、筐体５１の側面５７、５８に接触して回動するため、確実に保持することができるとともに、携帯端末５０に擦り傷を付けることなく取り出すことができる。
【００３５】
次に、本発明の第２の実施の形態にかかる携帯端末用置台を説明する。
図６は（Ａ）は非装着時の係止部材を示す断面図、図６（Ｂ）は携帯端末装着時の係止部材を示す断面図、図６（Ｃ）は携帯端末を取り出す際の係止部材を示す断面図である。なお、前述した第１実施形態にかかる携帯端末用置台１０と共通する部位には同じ符号を付して、重複する説明を省略することとする。
【００３６】
図６（Ａ）〜（Ｃ）に示すように、第２実施形態にかかる携帯端末用置台１０Ｂでは、第１実施形態にかかる携帯端末用置台１０の第４支持部２０において、回動軸２３ａを中心として上下方向に回動可能に設けられている係止部材２３を付勢している２個のスプリング２６、２７の代わりに、第２位時手段の第１スプリングとしての１個のスプリング２８を用いた場合である。
【００３７】
すなわち、図６（Ａ）に示すように、係止部材２３は中立位置（初期位置）において、スプリング２８が、係止部材２３のストッパ２３ｆおよびストッパ２３ｇに当接するとともに、支持部本体２１の上部に設けられたストッパ２１ｄおよび前壁内面であるストッパ２１ｅに当接している。従って、係止部材２３は、係止面２３ｃの初期位置が、回動面２３ｄの回動可能範囲の始点および終点以外の位置に位置することになる。このため、係止部材２３は、上方向（矢印Ｂ方向）にも下方向（矢印Ａ方向）にも回動可能な状態に保持されることになる。
【００３８】
次に、第２実施形態にかかる携帯端末用置台１０Ｂに対する携帯端末５０の着脱動作を、図６（Ａ）〜（Ｃ）に基づき、主に第４支持部２０Ｂの作用に着目して説明する。
まず、図１に示すような、携帯端末５０の装着前は、図６（Ａ）に示すように、第４支持部２０Ｂにおける支持部材２３は、前述した初期位置に位置している。この状態で、携帯端末５０のヒンジ側端面５５に設けられている係止凹部（図示省略）を携帯端末用置台１０Ｂの係止凸部１２に嵌めて、携帯端末５０（下筐体５２）の開閉側端面５６を下降させる。これにより、携帯端末５０の下筐体５２下面における開閉側端部の側面下部が、スプリング２８に抗して係止部材２３を図６（Ａ）中矢印Ａ方向へ回動させながら下降する。
【００３９】
そして、図６（Ｂ）に示すように、携帯端末５０の下筐体５２下面５２ａが携帯端末用置台１０Ｂの上面１１に達すると、係止部材２３の係止面２３ｃが携帯端末５０の下筐体５２の上面５２ｂの隅部を係止する。これにより、携帯端末５０は携帯端末用置台１０Ｂ上に保持されることになる。同時に、携帯端末用置台１０Ｂの上面１１から充電用端子が上方へ突出して、携帯端末５０側の端子と導通し、充電可能となる。なお、充電用端子を上方へ突出させている付勢力は、係止部材２３による係止力に比して弱いので、携帯端末５０が脱落することはない。また、この状態では、係止部材２３は、スプリング２８により矢印Ｂ方向へ付勢されて回動しようとしているが、係止面２３ｃが下筐体５２に当接して、停止している。
【００４０】
次に、携帯端末５０を携帯端末用置台１０Ｂから取り出す場合には、図６（Ｂ）に示す状態から、携帯端末５０の筐体５１の開閉側を把持して、上方へ引き上げる。このとき、図６（Ｂ）に示すように、係止部材２３の係止部２３ｅが第１スプリング２６に当接しており、係止部材２３はスプリング２８によって図６（Ｂ）中Ｂ方向へ回転付勢されているため、筐体５１を引き上げると、係止部材２３は直ちにＢ方向へ回転を開始する。このため、係止部材２３が筐体５１に対して滑るのを防止することができ、擦り傷を防止することができる。
【００４１】
次いで、図６（Ｃ）に示すように、携帯端末５０の上昇に伴って、係止部材２３の接触位置は、回動中心である回動軸２３ａからの半径が小さな係止面２３ｃから、半径が大きな回動面２３ｄに移行しながら係止部材２３を矢印Ｂ方向へ回動させる。このため、支持部本体２１は、筐体５１から離れる方向（図中矢印Ｃ方向）へ回動する。このとき、係止部材２３のＣ方向への回動は、回動ばね２５（図３参照）の付勢力に抗して行われることになる。これにより、携帯端末５０を容易に取り出すことができる。なお、携帯端末５０を取り出した後は、回動ばね２５の付勢力により支持部本体２１は直立状態に復帰するとともに、係止部材２３はスプリング２８の付勢力により初期位置（図６（Ａ）の位置）に復帰する。
【００４２】
以上、説明した第２実施形態にかかる携帯端末用置台１０Ｂによれば、第１実施形態にかかる携帯端末用置台１０と同様に、携帯端末５０を確実に保持することができるとともに、携帯端末５０に擦り傷を付けることなく取り出すことができる。
【００４３】
次に、本発明の第３の実施の形態にかかる携帯端末用置台を説明する。
図７（Ａ）は第３実施形態にかかる携帯端末用置台の載置時の斜視図、図（Ｂ）は充電時の斜視図、図８は携帯端末用置台を示す平面図、側面図、端面図等である。なお、前述した第１実施形態あるいは第２実施形態にかかる携帯端末用置台１０、１０Ｂと共通する部位には同じ符号を付して、重複する説明を省略することとする。
【００４４】
図７および図８に示すように、第３実施形態にかかる携帯端末用置台１０Ｃの第４支持部３０では、互いに近付く方向に突出可能とされ、下筐体５２の下面５２ａ（図１参照）が上面１１に接触した状態で、下筐体５２の上面５２ｂの縁部を係止可能な係止面３１ａを備える係止部材３１を有している。また、携帯端末用置台１０Ｃの下面１５には、下方に突出可能な一対の突出片３２（図８（Ｃ）参照）が設けられており、この突出片３２が第１支持部である上面１１に対して近付く方向（すなわち、上方）に押圧されると、係止面３１ａが各第４支持部３０から突出した状態を維持するようになっている。すなわち、突出片３２は、連結部材によって第４支持部２０に連結されており、突出片３２が押し込まれると係止面３１ａが筐体５１側に突出するようになっている。また、この状態では、携帯端末用置台１０Ｃの上面から、充電端子１６が埋没可能に突出するようになっている（図７（Ｂ）参照）。
【００４５】
また、携帯端末用置台１０Ｃの下面右端部には、係止面３１ａが各第４支持部３０から突出した状態を解除する解除手段としてのレバー３３が上下に回動可能に設けられている。レバー３３は、携帯端末用置台１０Ｃの下面１５の右端部を下側から覆うとともに、基端側である下面１５中央よりに支点３３ｂを有し、この支点３３ｂを中心として、上下方向へ回動可能となっている。前述した突出片３２、３２は、レバー３３と下面１５との間で出没可能に設けられており、レバー３３の回動に伴って突出片３２が上下移動するようになっている。また、レバー３３の先端には、レバー３３を操作するための取手３３ａが設けられている。レバー３３は、常時はばね部材（図示省略）によって取手３３ａ側が下方へ付勢されており、取手３３ａを図８（Ｂ）中矢印Ｂ方向へ回動させると、上死点において、レバー３３はロックされる。このロック状態では、突出片３２はレバー３３によって押し上げられた状態を維持しており、係止面３１ａが筐体５１側へ突出した状態（図７（Ｂ）参照）を維持することになる。なお、ロック状態の解除は、レバー３３の取手３３ａを下方へ引き下げることにより解除され、これに伴って突出片３２に引っ込む（上昇する）ので、第４支持部３０の係止面３１ａが引っ込むようになっている。
【００４６】
次に、第３実施形態にかかる携帯端末用置台１０Ｃによる携帯端末の着脱動作について概略を説明する。
まず、携帯端末５０のヒンジ側端面５５に設けられている係止凹部（図示省略）を携帯端末用置台１０Ｃの係止凸部１２に嵌めて、携帯端末５０の開閉側端面５６を下降させる。この状態ではレバー３３は下降しているので（図７（Ａ）に示す状態）充電端子１６は上面１１から埋没しており、例えば携帯端末５０を用いて単に視聴を行う場合等充電を行う必要がない場合には、この状態で、携帯端末５０を載置することができる。
【００４７】
そして、携帯端末５０の主に開閉側端部を下方へ押し下げると、レバー３３を図８（Ｂ）中矢印Ｂ方向へ回動させながら携帯端末用置台１０Ｃが下降し、携帯端末用置台１０Ｃ下面から下方へ突出している突出片３２を上昇させて、第４支持部３０の係止部材３１、３１を内側へ回動させる。同時に充電端子１６が上面１１から突出する。携帯端末５０が載置された携帯端末用置台１０Ｃが下死点に達すると、係止部材３１の係止面３１ａが下筐体５２の上面５２ｂを係止すると同時に、レバー３３が上死点でロックされる。これにより、携帯端末５０は携帯端末用置台１０Ｃに保持されることになる。なお、この状態では、一対の充電端子１６が上面１１から突出して、携帯端末５０の下筐体５２下面５２ａに設けられている端子と導通して、充電可能な状態となっている。
【００４８】
携帯端末５０を携帯端末用置台１０Ｃから取り出す際には、レバー３３の取手３３ａを下方へ押し下げることにより、レバー３３のロックを解除して、係止部材３１を引っ込ませる。これにより、携帯端末５０は開放され、充電端子１６も上面１１から引っ込む。
【００４９】
以上、説明した第３実施形態にかかる携帯端末用置台１０Ｃによれば、携帯端末５０の着脱の際に、係止部材３１の係止面３１ａが筐体５１の側面５７、５８を擦らないので、擦り傷を付けることなく、容易に携帯端末５０の着脱を行うことができる。
【００５０】
なお、本発明の携帯端末用置台は、前述した各実施形態に限定されるものでなく、適宜な変形，改良等が可能である。
【産業上の利用可能性】
【００５１】
以上のように、本発明にかかる携帯端末用置台は、筐体の第１表面に隣り合う第１端面を第２支持部により凹凸係止し、第１表面を第１支持部の接触部に接触させて支持した状態で、筐体の第１端面と反対側の第２端面を第３支持部により支持する。そして、筐体の側面である第３端面または第４端面を第４支持部によって支持する。このとき、第４支持部は、筐体から離れる方向へ退避可能に第１維持手段により弾性支持されており、第４支持部に設けられている係止部材の係止面が筐体の第２表面を係止する。係止部材は、係止面に連続して回動面を有しており、回動面は第２維持手段によって所定の原点位置に復帰するように付勢されている。この回動面は、筐体の着脱の際に、筐体の第３端面または第４端面に接触して回動する。このため、携帯端末に擦り傷を付けることなく、確実に保持することができるという効果を有し、携帯端末を保持して充電等を行うことができる携帯端末用置台等として有用である。
【図面の簡単な説明】
【００５２】
【図１】第１実施形態にかかる携帯端末用置台および携帯端末の斜視図
【図２】（Ａ）〜（Ｆ）は携帯端末用置台の六面図
【図３】（Ａ）は第４支持部を外から見た正面図、（Ｂ）は（Ａ）中Ｂ方向から見た側面図
【図４】（Ａ）〜（Ｇ）は第４支持部の正面図、平面図、側面図、背面図、拡大図等
【図５】（Ａ）は非装着時の係止部材を示す断面図、（Ｂ）は携帯端末装着時の係止部材を示す断面図、（Ｃ）は携帯端末を取り出す際の係止部材を示す断面図
【図６】第２実施形態にかかる携帯端末用置台の断面図であり、（Ａ）は非装着時の係止部材を示す断面図、（Ｂ）は携帯端末装着時の係止部材を示す断面図、図６（Ｃ）は携帯端末を取り出す際の係止部材を示す断面図
【図７】第３実施形態にかかる携帯端末用置台の斜視図であり、（Ａ）は載置時の斜視図、（Ｂ）は充電時の斜視図
【図８】（Ａ）〜（Ｆ）は第３実施形態にかかる携帯端末用置台を示す平面図、側面図、底面図端面図等
【符号の説明】
【００５３】
１０、１０Ｂ、１０Ｃ  携帯端末用置台
１１  上面（第１支持部）
１２  係止凸部（第２支持部）
１３  第３支持部
２０、２０Ｂ、３０  第４支持部
２３  係止部材
２３ｃ  係止面
２３ｄ  回動面
２５  回動ばね（第１維持手段）
２６  第１スプリング（第２維持手段）
２７  第１スプリング（第２維持手段）
２８  スプリング（第２維持手段、第１スプリング）
５０  携帯端末
５１  筐体
５２ａ  第１表面
５２ｂ  上面（第２表面）
５５  第１端面（ヒンジ側端面）
５６  開閉側端面（第２端面）
５７  側面（第３端面）
５８  側面（第４端面）
３２  突出片
３３  レバー（解除手段）
【図１】
0004938694.tif 000002
【図２】
0004938694.tif 000003
【図３】
0004938694.tif 000004
【図４】
0004938694.tif 000005
【図５】
0004938694.tif 000006
【図６】
0004938694.tif 000007
【図７】
0004938694.tif 000008
【図８】
0004938694.tif 000009